(57)【要約】【課題】除湿された空気の昇温を抑えることができ、かつ、スペース効率よくエレメントを設置することができる空調システムを提供する。【解決手段】空調システム１であって、吸着剤を担持する吸着層１１、および吸着層１１で生じた熱を放熱する放熱層１２が交互に積層されて構成される吸着熱交換型のエレメント１０Ａ，１０Ｂを備え、エレメント１０Ａ，１０Ｂは、トイレＴの周囲の空間に配置されており、吸着層１１の排気口１１ｂから室内２に供給される空気量に相当する空気量を、室内２からトイレＴの排気口を通じて放熱層１２に取り込む構成とした。【選択図】図１
2016223701.tif 000002
【特許請求の範囲】
【請求項１】
吸着剤を担持する吸着層、および前記吸着層で生じた熱を放熱する放熱層が交互に積層されて構成される吸着熱交換型のエレメントを備え、
前記エレメントは、トイレの周囲の空間に配置されており、前記吸着層の排気口から室内に供給される空気量に相当する空気量を、前記室内から前記トイレの排気口を通じて前記放熱層に取り込むことを特徴とする空調システム。
【請求項２】
吸着剤を担持する吸着層、および前記吸着層で生じた熱を放熱する放熱層が交互に積層されて構成される吸着熱交換型のエレメントを備え、
前記エレメントは、地下ピットに配置されており、前記吸着層の排気口から室内に供給される空気量に相当する空気量を、前記地下ピットから前記放熱層に取り込むことを特徴とする空調システム。
【発明の詳細な説明】
【技術分野】
【０００１】
本発明は、例えば、建物の室内の空気を吸着熱交換型のエレメントで除湿する空調システムに関する。
【背景技術】
【０００２】
空調機による除湿方式としては、冷却除湿方式および吸着除湿方式がある。このうち、吸着除湿方式は、吸着剤を用いて除湿を行う方式であり、除湿および再生の二段階による運転を行う。
除湿段階では、室内の空気を空調機内の吸着剤に接触させることで、この空気中の水分を吸着剤に吸着させて、空気を除湿している。
【０００３】
ここで、除湿段階では、吸着剤の吸湿力が限界に達すると除湿能力が低下するため、再生段階にて吸着剤を再生して除湿能力を回復させている。すなわち、再生段階では、相対湿度の低い暖かい空気を吸着剤に接触させることで、吸着剤に吸着させた水分を空気に移動させて排出している。
【０００４】
このように、再生段階では、暖かい空気が必要となるため、太陽熱を利用して空気を昇温させる方法が提案されている（非特許文献１参照）。また、工場等の生産プロセスで生じる排熱や、燃料電池、コージェネレーションの発電に伴う排熱を利用する方法もある。
具体的に、非特許文献１に示された方法では、平屋建ての建物において、屋根面に集熱パネルを設け、天井裏付近に２台のデシカント空調機を設置している。
【０００５】
除湿段階において、各デシカント空調機は、外部から取り入れた外気を除湿し、この除湿した空気を室内に吹き出している。一方、再生段階において、各デシカント空調機は、太陽熱や排熱で昇温した空気を取り入れて、この空気により空調機内の吸着剤の再生を行っている。
【先行技術文献】
【非特許文献】
【０００６】
【非特許文献１】空気集熱式ソーラー除湿涼房システムの研究開発、日本太陽エネルギー学会／風力エネルギー協会講演論文集（RE2006 JAPAN DAY）、pp.309-312、2006.10
【発明の概要】
【発明が解決しようとする課題】
【０００７】
従来、吸着剤を用いて空気を除湿する空調システムでは、吸着剤による除湿に伴って吸着熱が生じ、この吸着熱によって除湿された空気が昇温してしまうという問題があった。昇温した空気を冷却するためには、例えば、チラーに接続された冷却コイル等を利用する必要があり、電気代等の運転コストが増大してしまう。
【０００８】
一方、建物のデッドスペース等を利用してエレメントをスペース効率よく設置したいという要望があった。
【０００９】
そこで、本発明が解決しようとする課題は、除湿された空気の昇温を抑えることができ、かつ、スペース効率よくエレメントを設置することができる空調システムを提供することである。
【課題を解決するための手段】
【００１０】
前記課題を解決するために、本発明の空調システムは、吸着剤を担持する吸着層、および前記吸着層で生じた熱を放熱する放熱層が交互に積層されて構成される吸着熱交換型のエレメントを備えている。前記エレメントは、トイレの周囲の空間に配置されており、前記吸着層の排気口から室内に供給される空気量に相当する空気量を、前記室内から前記トイレの排気口を通じて前記放熱層に取り込むものである。
【００１１】
この空調システムでは、吸着層で外気を除湿しつつ、除湿時に生じた吸着熱を放熱層で効率よく放熱することができる。したがって、吸着熱を好適に回収することができ、除湿された空気の昇温を抑えることができる。
【００１２】
また、エレメントは吸着層と放熱層とが交互に積層されて構成されるので、エレメント全体を箱型に形成することができる。これによって、トイレの周囲の空間、例えば、トイレの天井裏空間等を有効活用してエレメントを設置することができる。しかも、トイレの排気口を通じて従来は外部に排気されていた室内空気を利用してエレメントの吸着熱交換を行うことができるので、効率のよい吸湿を実現することができる。
【００１３】
また、トイレは室内（例えば一般居室）に比べて天井高が低いので、トイレの排気口からエレメントに至る空気搬送経路を短くすることができる。したがって、トイレの排気口を通じてエレメントの放熱層に空気を比較的容易に取り込むことができる。
【００１４】
さらに、室内からトイレの排気口を通じて放熱層に取り込まれる空気量は、吸着層の排気口から室内に供給される空気量に相当する空気量であるので、エレメントの吸着熱交換に必要な空気量を好適に確保することができる。したがって、除湿時に生じる吸着熱を効率よく回収することができる。
【００１５】
また、室内からトイレの排気口を通じて放熱層に取り込まれる空気は、空調により冷やされた空気であるので、除湿時に生じる吸着熱を効率よく回収することができる。
【００１６】
また、本発明の空調システムは、吸着剤を担持する吸着層、および前記吸着層で生じた熱を放熱する放熱層が交互に積層されて構成される吸着熱交換型のエレメントを備えている。前記エレメントは、地下ピットに配置されており、前記吸着層の排気口から室内に供給される空気量に相当する空気量を、前記地下ピットから前記放熱層に取り込むものである。
【００１７】
この空調システムでは、吸着層で外気を除湿しつつ、除湿時に生じた熱を放熱層で効率よく放熱することができる。したがって、吸着熱を好適に回収することができ、除湿された空気の昇温を抑えることができる。
【００１８】
また、エレメントは、地下ピットの空間を有効活用して設置することができる。さらに、地下ピットから放熱層に取り込まれる空気量は、吸着層の排気口から室内に供給される空気量に相当する空気量であるので、エレメントの吸着熱交換に必要な空気量が地下ピットを通じて好適に確保される。したがって、吸着熱を効率よく回収することができる。
【００１９】
また、地下ピットから放熱層に取り込まれる空気は、土壌からの地中熱によって低温である。したがって、吸着熱を効率よく回収することができる。
【発明の効果】
【００２０】
本発明の空調システムでは、除湿された空気の昇温を抑えることができ、かつ、スペース効率よくエレメントを設置することができる空調システムが得られる。
【図面の簡単な説明】
【００２１】
【図１】本発明の第１実施形態に係る空調システムの構成を示す模式図である。
【図２】同じく第１実施形態の空調システムに適用される吸着熱交換型のエレメントを示す模式図である。
【図３】同じく第１実施形態の空調システムの動作を説明するための模式図である。
【図４】同じく第１実施形態の空調システムの動作を説明するための模式図である。
【図５】本発明の第２実施形態に係る空調システムの構成を示す模式図である。
【発明を実施するための形態】
【００２２】
以下、本発明の実施形態について、適宜図面を参照しながら詳細に説明する。
本実施形態の空調システム１は、図１に示すように、一対の吸着熱交換型のエレメント１０Ａ，１０Ｂで室内２を除湿するものである。一対のエレメント１０Ａ，１０Ｂは、トイレＴの周囲の空間である天井裏空間に設置される。なお、一対のエレメント１０Ａ，１０Ｂの設置空間は、天井裏空間に限られることはなく、室内空気の排気口に隣接しているトイレＴの周囲の空間（トイレＴの床下空間やトイレＴの横に形成される隙間空間等）であればよい。
【００２３】
エレメント１０Ａ，１０Ｂは、同様の構造を有しており、図２に示すように、吸着剤を担持する吸着層１１と、この吸着層１１で生じた熱を放熱する放熱層１２と、が交互に積層されて構成されている。吸着層１１と放熱層１２とは、各層間で空気の移動がない状態に積層されている。
吸着層１１および放熱層１２は、それぞれ、波型状のコア材を矩形平板状の面材で挟んだ構造を一層としている。吸着層１１における空気の通流方向と、放熱層１２における空気の通流方向とは互いに直交している。
【００２４】
吸着層１１は、給気口１１ａおよび排気口１１ｂを備える。つまり、吸着層１１における空気の通流方向の一端側が給気口１１ａであり、他端側が排気口１１ｂとなっている。
【００２５】
吸着層１１は、吸着剤を含んだ素材で形成される。吸着剤としては、例えば、高分子吸着剤やゼオライトが挙げられる。水溶性の高分子吸着剤を用いた場合、吸着層１１は、基材となる紙を高分子吸着剤の水溶液に含浸することにより作製される。
【００２６】
吸着層１１の給気口１１ａから湿った空気が流入すると、流入した空気に含まれる水分は、吸着層１１の吸着剤に吸着し、排気口１１ｂからは、除湿された空気が排出される。
また、吸着層１１の給気口１１ａから相対湿度の低い暖かい空気が流入すると、吸着層１１の吸着剤に含まれる水分が流入した空気に放湿され、吸着剤が再生する。吸着層１１を通過した空気は、排気口１１ｂから排出される。
【００２７】
放熱層１２は、給気口１２ａおよび排気口１２ｂを備える。つまり、放熱層１２における空気の通流方向の一端側が給気口１２ａであり、他端側が排気口１２ｂとなっている。
放熱層１２の吸着層１１に当接する部分は、例えばポリプロピレンシートのように、防湿性を有する素材で形成される。
【００２８】
吸着層１１で水分が吸着されると熱が発生する。放熱層１２は、吸着層１１で生じた熱を回収する。そして、放熱層１２に対して給気口１２ａから空気が流入すると、流入した空気は、放熱層１２と熱交換して、排気口１２ｂから排出される。
【００２９】
空調システム１は、図１に示すように、一対のエレメント１０Ａ，１０Ｂと、第１給気流路２０Ａ，２０Ｂと、第２給気流路３０Ａ，３０Ｂと、第１排気流路４０Ａ，４０Ｂと、第２排気流路５０Ａ，５０Ｂと、第３排気流路６０Ａ，６０Ｂと、を備えている。
【００３０】
第１給気流路２０Ａ，２０Ｂは、外部３から各エレメント１０Ａ，１０Ｂの吸着層１１の給気口１１ａに至る流路である。
【００３１】
具体的に、一方の第１給気流路２０Ａは、外部３から、送風ファン２１、ダクト２５、顕熱交換器２２、ダクト２６、切替弁２３、ダクト２７Ａ、切替弁２４Ａ、およびダクト２８Ａを通って、エレメント１０Ａの吸着層１１の給気口１１ａに至る流路である。
他方の第１給気流路２０Ｂは、外部３から、送風ファン２１、ダクト２５、顕熱交換器２２、ダクト２６、切替弁２３、ダクト２７Ｂ、切替弁２４Ｂ、およびダクト２８Ｂを通って、エレメント１０Ｂの吸着層１１の給気口１１ａに至る流路である。
【００３２】
顕熱交換器２２は、ダクト２５を通じて外部３から流入する外気と、室内２からトイレＴに排気され、ダクト４３を通じて流入する空気と、の間で熱交換を行う。
切替弁２３は、ダクト２６の接続先をダクト２７Ａまたはダクト２７Ｂに選択的に切り替えるものである。切替弁２４Ａは、ダクト２７Ａまたは後記するダクト５７Ａを選択的に切り替えてダクト２８Ａに接続するものである。また、切替弁２４Ｂは、ダクト２７Ｂまたは後記するダクト５７Ｂを選択的に切り替えてダクト２８Ｂに接続するものである。
【００３３】
トイレＴの排気口は、室内２から排気される空気（以下、「室内空気」という）の主たる排気口として機能する。トイレＴの排気口は、後記するように、エレメント１０Ａまたはエレメント１０Ｂを通って室内２に供給される空気量に相当する空気量を排気することが可能である。つまり、室内２に供給された空気は、トイレＴの排気口を通じて回収されるように構成され、トイレＴの排気口を通じて大容量、かつ外気よりも低温の空気（室内空気）を取り込むように構成されている。
【００３４】
第２給気流路３０Ａ，３０Ｂは、各エレメント１０Ａ，１０Ｂの吸着層１１の排気口１１ｂから室内２に至る流路である。
具体的に、一方の第２給気流路３０Ａは、エレメント１０Ａの吸着層１１の排気口１１ｂから、ダクト３３Ａ、切替弁３１Ａ、ダクト３４Ａ、および冷却コイル３２を通って、室内２に至る流路である。
他方の第２給気流路３０Ｂは、エレメント１０Ｂの吸着層１１の排気口１１ｂから、ダクト３３Ｂ、切替弁３１Ｂ、ダクト３４Ｂ、および冷却コイル３２を通って、室内２に至る流路である。
【００３５】
切替弁３１Ａは、ダクト３３Ａを、ダクト３４Ａまたは後記するダクト６１Ａに、吸着段階および再生段階に対応して、選択的に接続する。切替弁３１Ｂは、ダクト３３Ｂを、ダクト３４Ｂまたは後記するダクト６１Ｂに、吸着段階および再生段階に対応して、選択的に接続する。
【００３６】
第１排気流路４０Ａ，４０Ｂは、室内２から各エレメント１０Ａ，１０Ｂの放熱層１２の給気口１２ａに至る流路である。
【００３７】
具体的に、一方の第１排気流路４０Ａは、室内２から、トイレＴ、ダクト４３、顕熱交換器２２、ダクト４４、切替弁４２、およびダクト４５Ａを通って、エレメント１０Ａの放熱層１２の給気口１２ａに至る流路である。
他方の第１排気流路４０Ｂは、室内２から、トイレＴ、ダクト４３、顕熱交換器２２、ダクト４４、切替弁４２、およびダクト４５Ｂを通って、エレメント１０Ｂの放熱層１２の給気口１２ａに至る流路である。
【００３８】
ダクト４３は、トイレＴから顕熱交換器２２に至るものである。ダクト４４は、顕熱交換器２２から切替弁４２に至るものである。切替弁４２は、ダクト４４を、ダクト４５Ａまたはダクト４５Ｂに選択的に接続する。ダクト４５Ａ，４５Ｂは、切替弁４２から各エレメント１０Ａ，１０Ｂの放熱層１２の給気口１２ａに至るものである。
【００３９】
第２排気流路５０Ａ，５０Ｂは、一方のエレメント１０Ａの放熱層１２の排気口１２ｂから、他方のエレメント１０Ｂの吸着層１１の給気口１１ａに至るとともに、他方のエレメント１０Ｂの放熱層１２の排気口１２ｂから一方のエレメント１０Ａの吸着層１１の給気口１１ａに至る流路である。
【００４０】
具体的に、一方の第２排気流路５０Ａは、エレメント１０Ｂの放熱層１２の排気口１２ｂから、ダクト５４Ｂ、熱発生機器５１、ダクト５５、加熱コイル５２、ダクト５６、切替弁５３、ダクト５７Ａ、切替弁２４Ａ、およびダクト２８Ａを通って、エレメント１０Ａの吸着層１１の給気口１１ａに至る流路である。
【００４１】
他方の第２排気流路５０Ｂは、エレメント１０Ａの放熱層１２の排気口１２ｂから、ダクト５４Ａ、熱発生機器５１、ダクト５５、加熱コイル５２、ダクト５６、切替弁５３、ダクト５７Ｂ、切替弁２４Ｂ、およびダクト２８Ｂを通って、エレメント１０Ｂの吸着層１１の給気口１１ａに至る流路である。
【００４２】
ダクト５４Ａ，５４Ｂは、各エレメント１０Ａ，１０Ｂの放熱層１２の排気口１２ｂから合流して熱発生機器５１に至るものである。ダクト５５は、熱発生機器５１から加熱コイル５２に至るものである。ダクト５６は、加熱コイル５２から切替弁５３に至るものである。ダクト５７Ａ，５７Ｂは、切替弁５３から切替弁２４Ａ，２４Ｂに至るものである。
【００４３】
切替弁５３は、ダクト５６を、ダクト５７Ａまたはダクト５７Ｂに選択的に接続する。
熱発生機器５１は、太陽熱や、機器の排熱を利用して熱を発生する機器である。太陽熱としては、例えば、建物の外壁、窓等に直接照射されるものや、太陽熱集熱器により集熱されたものを利用することができる。
【００４４】
また、切替弁２４Ａ，２４Ｂは、第１給気流路２０Ａ，２０Ｂと、第２排気流路５０Ａ，５０Ｂと、を切り替える。
【００４５】
第３排気流路６０Ａ，６０Ｂは、各エレメント１０Ａ，１０Ｂの吸着層１１の排気口１１ｂから外部３に至る流路である。
具体的は、一方の第３排気流路６０Ａは、エレメント１０Ａの吸着層１１の排気口１１ｂから、ダクト３３Ａ、切替弁３１Ａ、およびダクト６１Ａを通って外部３に至る流路である。
他方の第３排気流路６０Ｂは、エレメント１０Ｂの吸着層１１の排気口１１ｂから、ダクト３３Ｂ、切替弁３１Ｂ、およびダクト６１Ｂを通って外部３に至る流路である。
切替弁３１Ａ，３１Ｂは、第２給気流路３０Ａ，３０Ｂと第３排気流路６０Ａ，６０Ｂと、を切り替える。
【００４６】
次に、本実施形態の空調システムの動作について説明する。ここでは、エレメント１０Ａの吸着層１１で吸湿して、エレメント１０Ｂの吸着層１１を再生する場合について図３を参照して説明する。なお、図３では、理解の容易のため、使用しない流路は図から省略している。
【００４７】
まず、切替弁２３，２４Ａ，２４Ｂ，３１Ａ，３１Ｂ，４２，５３を以下のように切り替えておく。
切替弁２３は、ダクト２６とダクト２７Ａとが連通する状態に切り替える。
切替弁２４Ａは、ダクト２７Ａとダクト２８Ａとが連通する状態に切り替える。切替弁２４Ｂは、ダクト５７Ｂとダクト２８Ｂとが連通する状態に切り替える。
切替弁３１Ａは、ダクト３３Ａとダクト３４Ａとが連通する状態に切り替える。切替弁３１Ｂは、ダクト３３Ｂとダクト６１Ｂとが連通する状態に切り替える。
切替弁４２は、ダクト４４とダクト４５Ａとが連通する状態に切り替える。
切替弁５３は、ダクト５６とダクト５７Ｂとが連通する状態に切り替える。
【００４８】
この状態で、送風ファン２１および送風ファン４１を駆動する。そうすると、送風ファン２１により外部３から外気が吸引される。吸引された外気は、第１給気流路２０Ａを通って顕熱交換器２２に流入する。
一方、送風ファン４１で吸引されて、室内空気がトイレＴに排気される。この排気された室内空気は、そのすべてがダクト４３を通って顕熱交換器２２に流入する。なお、トイレＴを通じてダクト４３に流入する室内空気は、外気に比べて低温となっている。
【００４９】
顕熱交換器２２では、ダクト４３を通ってきた室内空気と外部３から吸引された外気とが熱交換し、外気が冷却される。冷却された外気は、第１給気流路２０Ａを通ってエレメント１０Ａの吸着層１１の給気口１１ａに至る。
【００５０】
一方、顕熱交換器２２で外気と熱交換した室内空気は、第１排気流路４０Ａを通ってエレメント１０Ａの放熱層１２の給気口１２ａに至る。
【００５１】
エレメント１０Ａでは、吸着層１１を外気が通過する際に、外気が除湿される。除湿時には吸着熱を生じるが、生じた吸着熱は、放熱層１２を通る室内空気によって好適に回収される。つまり、除湿による外気の温度上昇を室内空気によって抑制することができる。エレメント１０Ａで除湿された外気は、第２給気流路３０Ａを通って冷却コイル３２に至り、冷却コイル３２によってさらに冷却された後に室内２に供給される。
【００５２】
放熱層１２を通った室内空気は、吸着熱の回収によって暖められた後（温度が上昇された後）、第２排気流路５０Ｂ（ダクト５４Ａ，５５，５６等）を通って他方のエレメント１０Ｂの吸着層１１の給気口１１ａに至る。このとき、室内空気は、熱発生機器５１や加熱コイル５２によって適宜暖められる。
【００５３】
その後、この暖められた室内空気は、エレメント１０Ｂの吸着層１１を通過する際に、吸着層１１に吸着されている水分を回収し、第３排気流路６０Ｂを通って外部３に排出される。つまり、室内空気を他方のエレメント１０Ｂの吸着層１１の再生に利用することができる。
【００５４】
次に、エレメント１０Ａの吸着層１１を再生して、エレメント１０Ｂの吸着層１１で吸湿する際の動作について、図４を参照して説明する。なお、図４では、理解の容易のため、使用しない流路は省略している。
【００５５】
まず、切替弁２３，２４Ａ，２４Ｂ，３１Ａ，３１Ｂ，４２，５３を以下のように切り替えておく。
切替弁２３は、ダクト２６とダクト２７Ｂとが連通する状態に切り替える。
切替弁２４Ａは、ダクト５７Ａとダクト２８Ａとが連通する状態に切り替える。切替弁２４Ｂは、ダクト２７Ｂとダクト２８Ｂとが連通する状態に切り替える。
切替弁３１Ａは、ダクト３３Ａとダクト６１Ａとが連通する状態に切り替える。切替弁３１Ｂは、ダクト３３Ｂをダクト３４Ｂとが連通する状態に切り替える。
切替弁４２は、ダクト４４とダクト４５Ｂとが連通する状態に切り替える。
切替弁５３は、ダクト５６とダクト５７Ａとが連通する状態に切り替える。
【００５６】
この状態で、送風ファン２１および送風ファン４１を駆動する。そうすると、送風ファン２１により外部３から外気が吸引される。吸引された外気は、第１給気流路２０Ｂを通って顕熱交換器２２に流入する。
一方、送風ファン４１で吸引されて、室内２からトイレＴに室内空気が排気される。この排気された室内空気は、前記と同様に、そのすべてがダクト４３を通って顕熱交換器２２に流入する。なお、トイレＴを通じてダクト４３に流入する室内空気は、空調により冷やされて低温となっている。
【００５７】
顕熱交換器２２では、ダクト４３を通ってきた室内空気と外部３から吸引された外気とが熱交換し、外気が冷却される。冷却された外気は、第１給気流路２０Ｂを通ってエレメント１０Ｂの吸着層１１の給気口１１ａに至る。
【００５８】
一方、顕熱交換器２２で外気と熱交換した室内空気は、第１排気流路４０Ｂを通ってエレメント１０Ｂの放熱層１２の給気口１２ａに至る。
【００５９】
エレメント１０Ｂでは、吸着層１１を外気が通過する際に、外気が除湿される。除湿時には吸着熱を生じるが、生じた吸着熱は、放熱層１２を通る室内空気によって好適に回収される。つまり、除湿による外気の温度上昇を室内空気によって抑制することができる。エレメント１０Ｂで除湿された外気は、第２給気流路３０Ｂを通って冷却コイル３２に至り、冷却コイル３２によってさらに冷却された後に室内２に供給される。
【００６０】
エレメント１０Ｂの放熱層１２を通った室内空気は、吸着熱の回収によって暖められた後（温度が上昇された後）、第２排気流路５０Ａ（ダクト５４Ｂ、５５、５６等）を通って一方のエレメント１０Ａの吸着層１１の給気口１１ａに至る。このとき、室内空気は、熱発生機器５１や加熱コイル５２によって適宜暖められる。
【００６１】
その後、この暖められた室内空気は、エレメント１０Ａの吸着層１１を通過する際に、吸着層１１に吸着されている水分を回収し、第３排気流路６０Ａを通って外部３に排出される。つまり、室内空気を一方のエレメント１０Ａの吸着層１１の再生に利用することができる。
【００６２】
このように本実施形態の空調システム１では、一方のエレメント１０Ａを除湿段階とし、他方のエレメント１０Ｂを再生段階とする場合、一方のエレメント１０Ａの放熱層１２からの排熱を利用して他方のエレメント１０Ｂの吸着層１１の再生に利用することができる。
また、これとは逆に、他方のエレメント１０Ｂを除湿段階とし、一方のエレメント１０Ａを再生段階とする場合、他方のエレメント１０Ｂの放熱層１２からの排熱を利用して一方のエレメント１０Ａの吸着層１１の再生に利用することができる。
【００６３】
以上説明した本実施形態の空調システム１では、吸着層１１で外気を除湿しつつ、除湿時に生じた吸着熱を放熱層１２で効率よく放熱することができる。したがって、吸着熱を好適に回収することができ、除湿された空気の昇温を抑えることができる。
【００６４】
また、エレメント１０Ａ，１０Ｂは吸着層１１と放熱層１２とが交互に積層されて構成されるので、エレメント１０Ａ，１０Ｂの全体を箱型に形成することができる。これによって、トイレＴの天井裏空間等を有効活用してエレメント１０Ａ，１０Ｂを設置することができる。しかも、トイレＴの排気口を通じて従来は外部３に排気されていた室内空気を利用してエレメント１０Ａ，１０Ｂの吸着熱交換を行うことができるので、効率のよい吸湿を実現することができる。
【００６５】
また、トイレＴは室内２（例えば一般居室）に比べて天井高が低いので、トイレＴの排気口からエレメント１０Ａ，１０Ｂに至る空気搬送経路（例えば、ダクト４３等）を短くすることができる。したがって、トイレＴの排気口を通じてエレメント１０Ａ，１０Ｂの放熱層１２に空気を比較的容易に取り込むことができる。
【００６６】
さらに、室内２からトイレＴの排気口を通じて放熱層１２に取り込まれる空気量は、吸着層１１の排気口１１ｂから室内２に供給される空気量に相当する空気量であるので、エレメント１０Ａ，１０Ｂの吸着熱交換に必要な空気量を好適に確保することができる。したがって、除湿時に生じる吸着熱を効率よく回収することができる。
【００６７】
また、室内２からトイレＴの排気口を通じて放熱層１２に取り込まれる空気は、空調により冷やされた空気であるので、除湿時に生じる吸着熱を効率よく回収することができる。
【００６８】
また、送風ファン４１は、エレメント１０Ａ，１０Ｂよりも空気の通流方向下流側に設置されて、空気を吸引するようになっている。これにより、エレメント１０Ａ，１０Ｂよりも空気の通流方向上流側に送風ファン４１が設置される場合に比べ、トイレＴの臭い等の悪臭が空気搬送経路の途中（エレメント１０Ａ，１０Ｂ等）で漏れるのを好適に防止することができる。
【００６９】
（第２実施形態）
次に、図５を参照して、第２実施形態の空調システム１Ａについて説明する。本実施形態が前記第１実施形態と異なるところは、建物に備わる地下ピットＰから空気を取り込んで、エレメント１０Ａ，１０Ｂの吸着熱交換に利用している点である。なお、主たる構成は、第１実施形態の空調システム１と同様である。
【００７０】
本実施形態の空調システム１Ａでは、エレメント１０Ａ，１０Ｂが、地下ピットＰに設置されている。空調システム１Ａには、エレメント１０Ａまたはエレメント１０Ｂを通って室内２に供給される空気量に相当する空気量を、地下ピットＰから取り込むように構成されている。
【００７１】
この空調システム１Ａでは、第１実施形態と同様に、吸着層１１で外気を除湿しつつ、除湿時に生じた熱を放熱層１２で効率よく放熱することができる。したがって、吸着熱を好適に回収することができ、除湿された空気の昇温を抑えることができる。
【００７２】
また、エレメント１０Ａ，１０Ｂは、地下ピットＰの空間を有効活用して設置することができる。さらに、地下ピットＰから放熱層１２に取り込まれる空気量は、吸着層１１の排気口１１ｂから室内２に供給される空気量に相当する空気量であるので、エレメント１０Ａ，１０Ｂの吸着熱交換に必要な空気量が地下ピットＰを通じて好適に確保される。したがって、除湿時に生じる吸着熱を効率よく回収することができる。
【００７３】
また、地下ピットＰから放熱層１２に取り込まれる空気は、土壌からの地中熱によって低温である。したがって、除湿時に生じる吸着熱を効率よく回収することができる。
【００７４】
以上、本発明の実施形態について説明したが、本発明は前記実施形態に限定されることなく、その趣旨を逸脱しない範囲で適宜に変更が可能である。
例えば、複数の室内２の各トイレＴの排気口から室内空気を取り込み、エレメント１０Ａ，１０Ｂを通じて除湿された空気を複数の室内２に供給するように構成してもよい。
【００７５】
また、エレメント１０Ａ，１０Ｂは、一対設けたものを示したが、複数対設置するようにしてもよい。
【符号の説明】
【００７６】
１，１Ａ      空調システム
２      室内
３      外部
１０Ａ  エレメント
１０Ｂ  エレメント
１１    吸着層
１１ａ  給気口
１１ｂ  排気口
１２    放熱層
１２ａ  給気口
１２ｂ  排気口
Ｐ      地下ピット
Ｔ      トイレ
【図１】
2016223701.tif 000003
【図２】
2016223701.tif 000004
【図３】
2016223701.tif 000005
【図４】
2016223701.tif 000006
【図５】
2016223701.tif 000007